【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
上位装置に接続され、前記上位装置からデータを受ける上位インタフェースと、
データが格納される複数のディスク装置と、
前記上位装置との間でやり取りされるデータの前記ディスク装置への読み書きを制御する複数のディスクインタフェースと、
前記複数のディスクドライブの記憶領域を用いて生成される第１の論理ボリュームへのデータの読み書きを制御し、前記第１の論理ボリュームに格納された過去のデータを世代毎の差分データとして第２の論理ボリュームに書き込むように制御し、前記第２の論理ボリュームに格納されている前記世代毎の差分データの関係を管理するスナップショット管理テーブルを前記メモリの領域に設けることによって前記差分データを管理する制御プロセッサと、を有し、
前記制御プロセッサは、
前記第２の論理ボリュームに格納されたデータ量を管理し、
前記第２の論理ボリュームに格納されたデータ量が前記第２の論理ボリュームの容量の第１の割合を超えた場合、前記第２の論理ボリュームの容量を増加すること特徴とするディスクアレイ装置。
【請求項２】
請求項１に記載のディスクアレイ装置であって、
前記制御プロセッサは、前記第２の論理ボリュームに格納されたデータ量が、前記第１の割合より大きい第２の割合を超えた場合、前記第１の論理ボリュームに対するデータの書き込みを制限すること特徴とするディスクアレイ装置。
【請求項３】
請求項２に記載のディスクアレイ装置であって、
前記制御プロセッサは、前記第２の論理ボリュームに格納されたデータ量が、前記第２の割合より大きい第３の割合を超えた場合、前記第２の論理ボリュームに書き込まれた差分データのうち、特定の世代の差分データを削除すること特徴とするディスクアレイ装置。
【請求項４】
請求項３に記載のディスクアレイ装置であって、
前記制御プロセッサは、前記第２の論理ボリュームに格納されたデータ量が、前記第３の割合より大きい第４の割合を超えた場合、前記第２の論理ボリュームに書き込まれた差分データのうち、前記特定の第１の論理ボリュームに対応するものを削除すること特徴とするディスクアレイ装置。
【請求項５】
請求項４に記載のディスクアレイ装置であって、
前記制御プロセッサは、前記第２の論理ボリュームに格納されたデータ量が、前記第２の論理ボリュームの容量に達した場合、前記第２の論理ボリュームに書き込まれた全ての差分データを削除することを特徴とするディスクアレイ装置。
【請求項６】
請求項１に記載のディスクアレイ装置であって、
前記上位インタフェースに接続され、前記上位装置との間でやり取りされるデータ、及び前記上位装置との間でやり取りされるデータに関する制御情報を保存するメモリを有し、
前記ディスクインタフェースは、前記上位装置との間でやり取りされ、前記メモリに格納されるデータを、前記ディスク装置に書き込むように制御することを特徴とするディスクアレイ装置。
【請求項７】
ディスクアレイ装置においてボリュームを管理する方法であって、
前記ディスクアレイ装置は、
上位装置に接続され、前記上位装置からデータを受ける上位インタフェースと、
データが格納される複数のディスク装置と、
前記上位装置との間でやり取りされるデータの前記ディスク装置への読み書きを制御する複数のディスクインタフェースと、
前記複数のディスクドライブの記憶領域を用いて生成される第１の論理ボリュームへのデータの読み書きを制御し、前記第１の論理ボリュームに格納された過去のデータを世代毎の差分データとして第２の論理ボリュームに書き込むように制御し、前記第２の論理ボリュームに格納されている前記世代毎の差分データの関係を管理するスナップショット管理テーブルを前記メモリの領域に設けることによって前記差分データを管理する制御プロセッサと、を有し、
前記方法は、
前記第２の論理ボリュームに格納されたデータ量を管理し、
前記第２の論理ボリュームに格納されたデータ量が前記第２の論理ボリュームの容量の第１の割合を超えた場合、前記第２の論理ボリュームの容量を増加すること特徴とするボリューム管理方法。
【請求項８】
請求項７に記載のボリューム管理方法であって、
前記第２の論理ボリュームに格納されたデータ量が、前記第１の割合より大きい第２の割合を超えた場合、前記第１の論理ボリュームに対するデータの書き込みを制限すること特徴とするボリューム管理方法。
【請求項９】
請求項８に記載のボリューム管理方法であって、
前記第２の論理ボリュームに格納されたデータ量が、前記第２の割合より大きい第３の割合を超えた場合、前記第２の論理ボリュームに書き込まれた差分データのうち、特定の世代の差分データを削除すること特徴とするボリューム管理方法。
【請求項１０】
請求項９に記載のボリューム管理方法であって、
前記第２の論理ボリュームに格納されたデータ量が、前記第３の割合より大きい第４の割合を超えた場合、前記第２の論理ボリュームに書き込まれた差分データのうち、前記特定の第１の論理ボリュームに対応するものを削除すること特徴とするボリューム管理方法。
【請求項１１】
請求項１０に記載のボリューム管理方法であって、
前記第２の論理ボリュームに格納されたデータ量が、前記第２の論理ボリュームの容量に達した場合、前記第２の論理ボリュームに書き込まれた全ての差分データを削除することを特徴とするボリューム管理方法。
【請求項１２】
請求項７に記載のボリューム管理方法であって、
前記ディスクアレイ装置は、前記上位インタフェースに接続され、前記上位装置との間でやり取りされるデータ、及び前記上位装置との間でやり取りされるデータに関する制御情報を保存するメモリを有し、
前記方法は、前記上位装置との間でやり取りされ、前記メモリに格納されるデータを、前記ディスク装置に書き込むように制御することを特徴とするボリューム管理方法。
【手続補正２】
【補正対象書類名】明細書
【補正対象項目名】０００９
【補正方法】変更
【補正の内容】
【０００９】
本発明は、上位装置に接続され、前記上位装置からデータを受ける上位インタフェースと、データが格納される複数のディスク装置と、前記上位装置との間でやり取りされるデータの前記ディスク装置への読み書きを制御する複数のディスクインタフェースと、前記複数のディスクドライブの記憶領域を用いて生成される第１の論理ボリュームへのデータの読み書きを制御し、前記第１の論理ボリュームに格納された過去のデータを世代毎の差分データとして第２の論理ボリュームに書き込むように制御し、前記第２の論理ボリュームに格納されている前記世代毎の差分データの関係を管理するスナップショット管理テーブルを前記メモリの領域に設けることによって前記差分データを管理する制御プロセッサと、を有するディスクアレイ装置において、前記制御プロセッサは、前記第２の論理ボリュームに格納されたデータ量を管理し、前記第２の論理ボリュームに格納されたデータ量が前記第２の論理ボリュームの容量の第１の割合を超えた場合、前記第２の論理ボリュームの容量を増加すること特徴とする。
【手続補正３】
【補正対象書類名】明細書
【補正対象項目名】００１０
【補正方法】変更
【補正の内容】
【００１０】
さらに、前記制御プロセッサは、前記第２の論理ボリュームに格納されたデータ量が、前記第１の割合より大きい第２の割合を超えた場合、前記第１の論理ボリュームに対するデータの書き込みを制限し、前記第２の論理ボリュームに格納されたデータ量が、前記第２の割合より大きい第３の割合を超えた場合、前記第２の論理ボリュームに書き込まれた差分データのうち、特定の世代の差分データを削除し、前記第２の論理ボリュームに格納されたデータ量が、前記第３の割合より大きい第４の割合を超えた場合、前記第２の論理ボリュームに書き込まれた差分データのうち、前記特定の第１の論理ボリュームに対応するものを削除し、前記第２の論理ボリュームに格納されたデータ量が、前記第２の論理ボリュームの容量に達した場合、前記第２の論理ボリュームに書き込まれた全ての差分データを削除する。
【手続補正４】
【補正対象書類名】明細書
【補正対象項目名】００３３
【補正方法】変更
【補正の内容】
【００３３】
構成情報制御プログラム１４０のペア情報管理プログラム１４４は、スナップショット生成要求を受信すると、まずスナップショット管理テーブルに新しい仮想ＬＵの識別情報を登録し、ペア情報管理テーブルにスナップショットのペアを新規に登録し、差分ビットマップ２０２、正ＬＵアドレステーブル２０３、差分情報管理ブロック２０４を確保、初期化する。この仮想ＬＵのブロックは、最初はスナップショット管理テーブルによって、正ＬＵのブロックと一対一で対応付けられている。
【手続補正５】
【補正対象書類名】図面
【補正対象項目名】図２
【補正方法】変更
【補正の内容】
【図２】
2005301628.tif 000001